(57)【特許請求の範囲】
【請求項１】
本体（２）、コック（３）及びストッパーチューブ（４）とを有し、
前記本体（２）は、長手方向と当該長手方向と略垂直に交差する側部方向とを有し、前記長手方向は第１左端部（２Ｌ）と第２右端部（２Ｒ）とを有し、前記側部方向は上部（２Ｕ）と底部（２Ｂ）とを有し、
前記コック（３）は、短手方向と当該短手方向と略垂直に交差する側部方向とを有し、前記短手方向は、第１左端部（３Ｌ）と第２右端部（３Ｒ）とを有し、前記側部方向は、上部（３Ｕ）と底部（３Ｂ）とを有し、
前記本体（２）は、前記上部（２Ｕ）並びに前記第１左端部（２Ｌ）と第２右端部（２Ｒ）とに、それぞれ上部開口部（２ＯＵ）並びに第１左端部開口部（２ＯＬ）及び第２右端部開口部（２ＯＲ）を有し、
前記第１左端部（２Ｌ）に第１体液導出入チューブ（Ｔ１）の接続部（５）を形成し、
前記コック（３）は、前記上部（３Ｕ）並びに前記第１左端部（３Ｌ）と第２右端部（３Ｒ）とに、それぞれ上部開口部（３ＯＵ）並びに第１左端部開口部（３ＯＬ）及び第２右端部開口部（３ＯＲ）を有し、
前記上部（３Ｕ）に液体導入チューブ（Ｔ３）の接続部（６）を形成し、
前記本体（２）の側部方向の外周に、当該外周に沿って回動できるように、前記コック（３）を装着し、
前記本体（２）の前記第２右端部（２Ｒ）にストッパーチューブ（４）を装着し、
前記液体導入チューブ（Ｔ３）から前記本体（２）内に液体を導入する時には、前記本体（２）の上部開口部（２ＯＵ）と、前記コック（３）の上部開口部（３ＯＵ）とが連通し、
前記第１体液導出入チューブ（Ｔ１）から前記本体（２）内に体液を導入する時は、前記コック（３）の側部方向を前記本体（２）の側部方向の外周に沿って回動させることにより、前記コック（３）の上部開口部（３ＯＵ）が移動して、
前記本体（２）の上部開口部（２ＯＵ）を前記コック（３）の側部方向の壁面で閉塞することにより、
前記本体（２）の上部開口部（２ＯＵ）近傍のデッドスペース（Ｓ）を減少させることができることを特徴とする接続部材（１）。
【請求項２】
請求項１に記載の接続部材（１）を含むことを特徴とする医療用具。
【発明の詳細な説明】
【技術分野】
【０００１】
本発明は、薬液等を注入する接続部材の改良に関するもので、体液（血液）の滞留や凝固のない接続部材に関する。本発明の接続部材は、生理食塩液、薬液等の注入ライン等のジョイント（接続管、Ｔ字管ともいう）等の医療用具に使用される。
【背景技術】
【０００２】
図４と図５は、現在使用されている接続部材６１の断面図と使用状態図で、同図に例示するように、本体６２の上部ポート６３内部にデッドスペースＳが存在するため、本体６２内に流入してきた血液はデッドスペースＳ付近で滞留しやすく、血液の凝固を惹起することがあった。
【０００３】
特許文献１には二重に形成した本体において、内側本体に形成した取っ手を回転させることで開口及び閉口できる医療用の活栓が開示されている。
また、特許文献２には可動体を用いることで薬液等を導通又は非導通にすることができる側注装置が開示されている。
【０００４】
しかし、接続部材として用いた場合、特許文献１の活栓のような取っ手のある形状では、取っ手自体が邪魔になったり、また、具体的なチューブの接続方法は記載されていないものの、チューブを筒状本体内側の内面に接続した場合は、取っ手を操作した際にチューブが捩れたり、筒状本体外側の外周に接続した場合は段差ができて、段差に体液（血液）が滞留するといったことが想定される。
一方、特許文献２の側注装置は、操作に関しての構造が複雑で部品点数が多いことから、組立てる場合にも煩雑で、実際に製造するにはコスト高になると考えられる。
【特許文献１】特開平８−２４３１０８号公報（［請求項１］、図１、［００１３］）
【特許文献２】特開２００３−２４５３６２（［請求項１］、図１、図２、［００１１］、［００１３］）
【発明の開示】
【発明が解決しようとする課題】
【０００５】
本発明が解決しようとする問題点は、ハウジング内に流入してきた血液はデッドスペースＳ付近で滞留しやすく、血液の凝固を惹起する点である。
【課題を解決するための手段】
【０００６】
そこで本発明者は以上の課題を解決するために、鋭意検討を重ねた結果次の発明に到達した。
［1］本発明は、本体（２）、コック（３）及びストッパーチューブ（４）とを有し、
前記本体（２）は、長手方向と当該長手方向と略垂直に交差する側部方向とを有し、前記長手方向は第１左端部（２Ｌ）と第２右端部（２Ｒ）とを有し、前記側部方向は上部（２Ｕ）と底部（２Ｂ）とを有し、
前記コック（３）は、短手方向と当該短手方向と略垂直に交差する側部方向とを有し、前記短手方向は、第１左端部（３Ｌ）と第２右端部（３Ｒ）とを有し、前記側部方向は、上部（３Ｕ）と底部（３Ｂ）とを有し、
前記本体（２）は、前記上部（２Ｕ）並びに前記第１左端部（２Ｌ）と第２右端部（２Ｒ）とに、それぞれ上部開口部（２ＯＵ）並びに第１左端部開口部（２ＯＬ）及び第２右端部開口部（２ＯＲ）を有し、
前記第１左端部（２Ｌ）に第１体液導出入チューブ（Ｔ１）の接続部（５）を形成し、
前記コック（３）は、前記上部（３Ｕ）並びに前記第１左端部（３Ｌ）と第２右端部（３Ｒ）とに、それぞれ上部開口部（３ＯＵ）並びに第１左端部開口部（３ＯＬ）及び第２右端部開口部（３ＯＲ）を有し、
前記上部（３Ｕ）に液体導入チューブ（Ｔ３）の接続部（６）を形成し、
前記本体（２）の側部方向の外周に、当該外周に沿って回動できるように、前記コック（３）を装着し、
前記本体（２）の前記第２右端部（２Ｒ）にストッパーチューブ（４）を装着し、
前記液体導入チューブ（Ｔ３）から前記本体（２）内に液体を導入する時には、前記本体（２）の上部開口部（２ＯＵ）と、前記コック（３）の上部開口部（３ＯＵ）とが連通し、
前記第１体液導出入チューブ（Ｔ１）から前記本体（２）内に体液を導入する時は、前記コック（３）の側部方向を前記本体（２）の側部方向の外周に沿って回動させることにより、前記コック（３）の上部開口部（３ＯＵ）が移動して、
前記本体（２）の上部開口部（２ＯＵ）を前記コック（３）の側部方向の壁面で閉塞することにより、
前記本体（２）の上部開口部（２ＯＵ）近傍のデッドスペース（Ｓ）を減少させることができる接続部材（１）を提供する。
［２］本発明は、［１］に記載の接続部材（１）を含む医療用具を提供する。
【発明の効果】
【０００７】
（１）本発明の接続部材１は、コック３を本体２の外周に沿って回転（回動）させることにより、コック３の上部開口部３ＯＵが移動して、本体２の上部開口部２ＯＵをコック３の側部方向の壁面で閉塞することにより、本体２の上部開口部２ＯＵ近傍のデッドスペースＳが少なくなり、本体２内に流入してきた体液は、デッドスペースＳに滞留することはなく、したがって凝血も発生しない。
（２）体液流通時（透析時）、コック３の回転（回動）により液体と本体２の流路を閉塞することができるので、クランプ、鉗子等が不要である。
（３）誰にでも容易・確実に操作することができる。
【発明を実施するための最良の形態】
【０００８】
図１は本発明の接続部材１の液体導入時（例えば生理食塩水充填時）の概略図（一部切欠断面図）、図２体液流通時（例えば透析時）の概略図、図３（Ａ）から（Ｄ）は本発明の接続部材１の構成及び組立方法の一例を示す概略図である。
［接続部材１］
本発明の接続部材１は、本体２、コック３及びストッパーチューブ４とを有する。
【０００９】
［本体２及びコック３］
本体２は、長手方向と当該長手方向と略垂直に交差する側部方向とを有し、前記長手方向は第１左端部２Ｌと第２右端部２Ｒとを有し、前記側部方向は上部２Ｕと底部２Ｂとを有する。
コック３は、短手方向と当該短手方向と略垂直に交差する側部方向とを有し、前記短手方向は、第１左端部３Ｌと第２右端部３Ｒとを有し、前記側部方向は、上部３Ｕと底部３Ｂとを有する。
本体２は、上部２Ｕ並びに第１左端部２Ｌと第２右端部２Ｒとに、それぞれ上部開口部２ＯＵ並びに第１左端部開口部２ＯＬ及び第２右端部開口部２ＯＲを有する。
第１左端部２Ｌに第１体液導出入チューブＴ１の接続部５を形成している。
コック３は、上部３Ｕ並びに第１左端部３Ｌと第２右端部３Ｒとに、それぞれ上部開口部３ＯＵ並びに第１左端部開口部３ＯＬ及び第２右端部開口部３ＯＲを有している。
上部３Ｕに液体導入チューブＴ３の接続部６を形成している。
本体２の側部方向の外周に、当該外周に沿って回動できるように、コック３を装着し、本体２の第２右端部２Ｒにストッパーチューブ４を装着している。
液体導入チューブＴ３から本体２内に液体を導入する時には、本体２の上部開口部２ＯＵと、コック３の上部開口部３ＯＵが連通し、第１体液導出入チューブＴ１から本体２内に体液を導入する時は、コック３の側部方向を本体２の側部方向の外周に沿って回動させることにより、コック３の上部開口部３ＯＵが移動して、本体２の上部開口部２ＯＵをコック３の側部方向の壁面で閉塞することにより、本体２の上部開口部２ＯＵ近傍のデッドスペースＳを減少させることができる。
さらに補足すれば、本体２は略円筒形状に形成され、第１体液導出入チューブＴ１の接続部５は、本体２よりもやや大径に形成されている。
コック３は、略Ｔ字形状に形成されている。
さらに詳述すれば、コック３は、本体２を内部に挿着でき、本体２の外周に沿って回動できるように、本体２より大径に形成されている。
本体２は、図３（Ａ）（Ｂ）に例示するように、やや細径の第２右端部２Ｒ側（接続部５を形成していない端部側）から、コック３の内部に挿着する。
そして、図３（Ｃ）（Ｄ）に例示するように、コック３から露出した本体２の第２右端部２Ｒ側に、ストッパーチューブ４を装着して、コック３を本体２に固定する。
ストッパーチューブ４により、本体２からコック３が、抜けたり緩んだりするのを防ぐことができる。
本体２、コック３、ストッパーチューブ４の形状、寸法等は、図１から３に例示するものに限定されることなく、要するに、体液（血液）や液体（生食等）の液漏れがなく、コック３が、本体２の外周に沿って回動でき、体液流通時に本体２の上部開口部２ＯＵ近傍のデッドスペースＳを減少させることのできる形態であれば何でも良い。
またコック３の回転角度も液体導入チューブＴ３と本体２の流路を確実に閉塞でき、本体２の上部開口部２ＯＵ近傍のデッドスペースＳを少なくできる角度であれば、何度でも良い。閉塞状態が容易に確認でき、確実に閉塞するには９０°あるいは１８０°が好ましい。
【００１０】
［液体導入時（生食充填時）］
図１に例示するように、コック３の接続部６を上部に向け、上部開口部３ＯＵと本体２の上部開口部２ＯＵと一致させて、連通状態にして、液体導入チューブＴ３から接続部５を経て本体２内に液体を導入する。
［体液流通時（透析時）］
コック３を本体２の外周りに沿って、所定の角度（図２では１８０°）回転させ、本体２の上部開口部３ＯＵを、コック３の側部方向の壁面で閉塞状態にする。他方コック３の上部開口部３ＯＵは、図２では下部に移動し、本体２の側部方向の壁面で閉塞状態にする。これにより、液体導入チューブＴ３と本体２の流路は完全に閉塞される。
この状態で、本体２の上部開口部２ＯＵのデッドスペースＳは、少なくなっているので、第１体液導出入チューブＴ１から、体液を本体２内に導入しても、上部開口部２ＯＵ付近で、体液が滞留することがない。
【図面の簡単な説明】
【００１１】
【図１】本発明の接続部材１の使用状態図（一部切欠断面図）
【図２】本発明の接続部材１の使用状態図（一部切欠断面図）
【図３】（Ａ）〜（Ｄ）本発明の接続部材１の構成及び組立方法の一例
【図４】従来の接続部材の概略図（一部切欠断面図）
【図５】図４の使用状態図
【符号の説明】
【００１２】
１    接続部材
２    本体
２Ｌ  第１左端部
２Ｒ  第２右端部
２Ｕ  上部
２Ｂ  底部
３    コック
３Ｌ  第１左端部
３Ｒ  第２右端部
３Ｕ  上部
３Ｂ  底部
４    ストッパーチューブ
５    接続部
６    接続部
２ＯＵ  上部開口部
２ＯＬ  第１左端部開口部
２ＯＲ  第２右端部開口部
３ＯＵ  上部開口部
３ＯＬ  第１左端部開口部
３ＯＲ  第２右端部開口部
Ｔ１ 第１体液導出入チューブ
Ｔ２ 第２体液導出入チューブ
Ｔ３ 液体導入チューブ
Ｓ    デッドスペース
６１  接続部材
Ｃ    鉗子（クランプ）
【図１】
0004646656.tif 000002
【図２】
0004646656.tif 000003
【図３】
0004646656.tif 000004
【図４】
0004646656.tif 000005
【図５】
0004646656.tif 000006